(57)【要約】【課題】各種紙葉の保持、新聞または雑誌またはマニュアル等の厚手の冊子類の保持、ダンボールの蓋止め、ごみ箱内部へのビニール袋の固定等を主な目的とする、取り外し及び追加等を簡単に行うことができる多目的万能クリップを提供する。【解決手段】正面に厚手の雑誌等を保持出来る強度と大きさを備えた正面挟持部で、かつ挟持物を固定するための挟持した状態の際に背面部２と平行になる形状を有した突起７を両側に設けた正面挟持部１を設け、被取付け壁面Ｗ側もしくは挟持する相対面側に設けた弾性強弱の可変可能な背面部２から延長された挟持板３が設けられた構成としたものであり、さらに背面部２に磁石または粘着テープを設けるものである。【選択図】図１
2007245447.tif 000002
【特許請求の範囲】
【請求項１】
正面部に厚手の雑誌等を保持出来る強度と大きさを備えた正面挟持部を設け、被取付け壁面側もしくは挟持する相対面側に設けた弾力的に挟持する後面挟持板が設けられてなることを特徴とする多目的万能クリップ。
【請求項２】
被取付け壁面側が磁石であることを特徴とする請求項１記載の多目的万能クリップ。
【請求項３】
挟持板が背面部から延長された弾性プレ−トであることを特徴とする請求項１記載の多目的万能クリップ。
【請求項４】
挟持板は被取付け壁面側もしくは挟持する相対面側に設けた弾性プレートの弾性強弱を調整出来る上下可動式の板バネを設けたことを特徴とする請求項１、２又は３記載の多目的万能クリップ。
【請求項５】
背面部に粘着テープを設けたことを特徴とする請求項１、２、又は４記載の多目的万能クリップ。
【請求項６】
正面挟持部に挟持物を固定するため、挟持した状態の際に背面部と平行になる形状を有した突起を両側に設けたことを特徴とする請求項１、２、３、４又は５記載の多目的万能クリップ。
【請求項７】
正面挟持部に前方折り返しのハンガー部を設けたことを特徴とする請求項１、２、３、４、５又は６記載の多目的万能クリップ。
【請求項８】
背面部に壁掛け固定用の穴を設けたことを特徴とする請求項１、２、３、４、５、６又は７記載の多目的万能クリップ。
【請求項９】
挟持板が接続された背面部から取り外し可能であることを特徴とする請求項１、２、３、４、５、６、７、又は８記載の多目的万能クリップ。
【請求項１０】
挟持物は、背面部から延長された挟持板の上をスライドして正面挟持部と挟持板の間に挟持物を挟持することを特徴とする請求項１、２、３、４、５、６、７、８又は９記載の多目的万能クリップ。
【発明の詳細な説明】
【技術分野】
【０００１】
本発明は、家具、机、家屋等の壁面に取付けての固定使用またはダンボールの開梱状態の蓋固定やごみ箱内部へのビニール袋の固定等のための挟持の場合も可能とした多目的万能クリップに関する。
【背景技術】
【０００２】
従来、家具、机、家屋等の壁面に紙葉等を取り外し自在に保持する方法としては、金属製家具等の壁面に保持する場合には磁石が使用され、木製家屋や非金属性壁面に保持する場合には画鋲、ピン等が使用されている。ダンボールの開梱状態の蓋固定やごみ箱の内部へのビニール袋を固定する方法は粘着テープ等が使用されている。
【特許文献１】特開平１０−８９０
【発明の開示】
【発明が解決しようとする課題】
【０００３】
前記磁石あるいは画鋲、ピン等による紙葉等の保持及び取り外し等には、両手操作が必要であり、さらに追加保持する場合もいちいち以前に保持されている紙葉を押える等、やはり両手操作が必要であり手間である。またダンボールや雑誌といった厚手の物は保持することが困難だった。
【０００４】
本発明は、前記課題を解決し、各種紙葉の保持、取り外し及び追加等をいずれも片手操作で簡単に行うことが出来、かつダンボールや雑誌といった厚手の物は保持することの出来る多目的万能クリップの提供を目的とする。
【課題を解決するための手段】
【０００５】
前記目的を達成するため、本発明は、正面部に厚手の雑誌等を保持出来る強度と大きさを備えた正面挟持部であり、かつ挟持物を固定するための挟持した状態の際に背面部と平行になる形状を有した突起を両側に設けた正面挟持部を設け、被取付け壁面側もしくは挟持する相対面側に設けた弾性強弱の可変可能な背面部から延長された挟持板が設けられた構成としたものであり、さらに背面部に磁石または粘着テープを設けるものである。
【発明の効果】
【０００６】
本願発明によれば、種紙葉の保持、新聞または雑誌またはマニュアル等の厚手の冊子類の保持、ダンボールの蓋止め、ごみ箱内部へのビニール袋の固定等を主な目的とする、取り外し及び追加等を簡単に行うことができる多目的万能クリップとして実用効果大であり、加えて形状を動物の顔にあわせ表面を印刷加工し挟持を舌の形状にし、かつ挟持板の正面部に企業ＰＲ等を印刷表示すると販促物としても極めて有効である。  
【発明を実施するための最良の形態】
【０００７】
本発明は、正面部に厚手の雑誌等を保持出来る強度と大きさを備えた形状でかつ挟持物を固定するための挟持した状態の際に背面部と平行になる形状を有した突起７を両側に設けた正面挟持部１を有し、被取付け壁面側もしくは挟持する相対面側に設けた弾力的に挟持する、背面部から延長された挟持板３を設けたものである。
【０００８】
すなわち、挟持物を挟持板の上をスライドして本体へ挿入可能な挟持板３を有し、正面挟持部１に挟持物Ｐを片手で差し込み保持し、あるいは挟持板３を下方へ押下することで簡単に取り外し、またはさらに追加できるように構成したものである。
【０００９】
請求項２によれば、磁石７の磁力が金属製家具等の壁面に至り、被取付壁面Ｗに固定して使用される。
【００１０】
請求項３、１０によれば、挟持板３が背面部２から延長された弾性プレ−トであり、挟持物Ｐは背面部２から延長された挟持板３の上をスライドして正面挟持部１と挟持板３の間にスムーズに挟持することが出来る。
【００１１】
請求項４によれば、被取付け壁面Ｗ側もしくは挟持する相対面側に設けた弾性プレートの弾性強弱を調整出来る上下可動式の板バネ４を設けたことで、挟持板３は挟持物の厚みに対して自在に対応出来る。
【００１２】
請求項５によれば、背面部に粘着テープを設け、被取付け面Ｗに固定して使用される。
【００１３】
請求項６によれば、正面挟持部１に挟持した状態の際に背面部２と平行になる形状を有した突起７を両側に設けたことにより、挟持物Ｐが厚手の物である場合でもこの突起７に加えて固定されるため抜け落ちにくくなる。
【００１４】
請求項７によれば、正面挟持部１に前方折り返しのハンガー部６を設けたことにより、紙葉以外の、タオル掛けに使用したり、薄手の挟持物Ｐ２を簡易的に挟持することが出来る。
【００１５】
請求項８によれば、背面部に壁掛け固定用の穴５を設けたことで、請求項２および５に記載の磁石および粘着テープによる効果が期待出来ない被取付け壁面Ｗにも釘や画鋲にて取り付けを行う事が可能となる。またこの壁掛け固定用の穴５に吊り下げ用の紐を通す事により使用状況範囲を任意に拡大出来る。
【００１６】
請求項９によれば、挟持板３が接続された背面部２から取り外し可能であることにより、厚手の挟持物Ｐや、ダンボールの蓋止め、ごみ箱内部へのビニール袋の固定等の使用用途にも広く対応可能となる。
【図面の簡単な説明】
【００１７】
【図１】この発明の本体を示す多目的クリップの斜視図である。
【図２】この発明の一実施形態を示す正面からの説明図である。
【図３】この発明の本体を示す多目的クリップの側面図である。
【図４】この発明の一実施形態を示す側面からの説明図である。
【図５】この発明の本体を示す多目的クリップの背面図である。
【符号の説明】
【００１８】
１    正面挟持部
２    背面部
３    挟持板
４    板バネ
５    取り付け穴
６    ハンガー部
７    磁石または粘着テープ
Ｗ    被取付け壁面
Ｐ    挟持物
Ｐ２  ハンガー部への挟持物
【図１】
2007245447.tif 000003
【図２】
2007245447.tif 000004
【図３】
2007245447.tif 000005
【図４】
2007245447.tif 000006
【図５】
2007245447.tif 000007